(57)【要約】【課題】使用しなくなった布や衣類をひも状にして敷物を編むための布編み用の針を提供する。【解決手段】本体部分１０の両側面を鋭角状に削り込み、下面もテーパ状に削って先細にしている先端部分１１と、一方の側面を曲線状に削り下面もややテーパ状にしてへら状に形成されている後端部１３を有し、この先端部１１と後端部１３の中間を握り部１２とし、この部分に楕円状の通し穴部１４を開口した。そして、この楕円状の等し穴部１４に、マットや敷物を編む際に使用される裂布が挿通されるようにしている。【選択図】 図１
0003133710.tif 000002
【実用新案登録請求の範囲】
【請求項１】
本体部分の一方の端部を鋭角状に形成して先端部を形成すると共に、前記本体部分の他方の端部にへら状に形成した後端部を設け、
前記先端部と前記後端部の中間位置に楕円状の通し穴部が形成されていることを特徴とする扁平型の布編み針。
【考案の詳細な説明】
【技術分野】
【０００１】
本考案はひも状の布を編み上げて、敷物や、座布団等にみられるようなマットを作るための布編み針に関するものである。
【背景技術】
【０００２】
従来から、繊維状の紐や、布を編み上げてマット状の敷物を編み上げる手芸が多くの人によって行われている。
【特許文献１】特開平９−２５６２４７号公報
【考案の開示】
【考案が解決しようとする課題】
【０００３】
木綿等を利用した手作りマット(Rug)は、一般的にかぎ針でコマ編みにして作る場合が多い。
しかし、カギ針で作ると出来上がりが柔らかくなり、敷物として使用するときに捲れ易くなる。
また、増やし目の数の設定が難しいなどの問題点があった。
【課題を解決するための手段】
【０００４】
本考案の布編み針は、かかる問題点を解消するために、扁平型の本体部分の一方の端部を鋭角状に形成して先端部を形成すると共に、前記本体部分の他方の端部にへら状に形成した後端部を設け、前記先端部と前記後端部の中間位置に楕円状の通し穴部を形成したものである。
【考案の効果】
【０００５】
本考案の布編み針は、共布が芯の役目になるため出来上がりがしっかりしており、敷物やマットに使用したときでも、どっしりとして重量感を味わうことができる。
また、布編み針を使用する際の布通し作業が容易になるように工夫されているので、高齢者の方でも使い勝手がよく、木綿をリサイクルする場合に好適であり、かつ、編み目をあまり気にせずに使用できるので、誰でも簡単に手芸を楽しむことができる。
【考案を実施するための最良の形態】
【０００６】
以下、本考案の布編み針の形態を説明する。
図１は布編み針の本体部分１０の上面図（ａ）と、上面図の一点鎖線の部分を断面とした側面断面図（ｂ）を示したものである。
この図に示されているように布編み針の本体部分１０は好ましくは扁平状の竹材で作られている。
そして、本体部分１０の両側面を鋭角状に削り込むと同時に、下面もテーパ状に削って先細にしている先端部分１１と、一方の側面を曲線状に削り下面もややテーパ状にしてへら状に形成されている後端部１３を有し、この先端部１１と後端部１３の中間を握り部１２として布編み針を操作する際に手でつかみ易い長さとしている。
【０００７】
握り部１２となっている箇所の適当な位置（やや後端部１３よりの方がよい）に楕円状の通し穴部１４が本体部の表面から裏面に貫通するように開口され、後で述べるように、この楕円状の等し穴部１４に、マットや敷物を編む際に使用される布きれ（布をひも状に裂いた裂布）が挿通されるようにしている。
なお、本体部分１０の表面側に針の名称や名前（例えば、Slash Rug）などを刻印して使用勝手をよくすることが好ましい。
【０００８】
この布編み針で編み上げる布切れは、着なくなった衣類の生地（木綿）や、洋服を仕立てた残り布、敷布等が使用され、例えば、このような布切れを幅２乃至３Ｃｍの幅に引き裂いて、布編み針の楕円状の通し穴部１４に挿通し、後で述べるように共布同士を結合するように順次編み込む際に使用される。
【０００９】
この場合は２乃至３Ｃｍの幅に引き裂かれた布きれを、布編み針の通し穴部１４に挿通するときには、図２に示すように縦長に切り裂かれた布きれの挿入端部２０を、ほぼ布編み針の楕円状の通し穴部１４の長径ぐらいの幅となるように２，３回折り曲げ、この状態で本考案の布編み針の後端部１３に形成されているへらで押し付ける（図２の布編み針を反転して押し付ける方がよい）ことにより、布きれの挿入端部２０の部分が重なった状態で折り目が付き型押されるようにできる。
【００１０】
すると、本考案の布編み針の通し穴部１４が楕円状に形成されているので、この通し穴部１４に、この挿入端部２０を容易に挿通することができ、そのまま引き出すと布によっては、その形を保つことができる。
大型のマットなどを織り込むときに何本も本考案の布編み針に布きれを挿通することになるが、この際、布編み針の後端部１３に形成されているへら状の部分で折り目を付け挿入端部２０の形を作ることができるので、非常に楽な作業で布紐の挿通、及び延長作業を行うことができようになる。
【００１１】
本考案の布編み針は上記したように使用されなくなった木綿や、端切れ布を編み込む際に好適である。この場合、少し厚手のマットや敷物を編む際は、例えば、図３に示されているように、あらかじめ、楕円状の穴部に布きれが挿通された布編み針の本体部１０の先端部１１を編み物の表側及び裏側から刺し込みながら、切り裂いた帯状の２本の布きれ（共布）２０Ａと２０Ｂを編んで行く。
一方の共布２０Ａはマットや敷物の形状を作るように心材として使用し、他方の共布２０Ｂを、本考案の布編み針を使用して、前記心材に対して絡むように編み込み、このとき隣接する心材同士（２０Ａ）も結合するように編み目に刺して行く。（図３は編み目の一部分を示している）
【００１２】
本考案の布編み針を使用して布きれを編む込むときの刺し込み方法はいろいろ考えられるが、いずれにして、切り裂いた布きれが次々と繋がれながら全体的に徐々に大きくなるように、例えば、最初は中心部となる部分を作り、この中心部から渦巻状に心材（２０Ａ）が隣接しながら外周側に展開されるように本考案の布編み針を差し込んで広げてゆく。
布きれの継ぎ足しは、図３に示されていいるように、帯状の布の端部に２Ｃｍ位の穴２０Ｃ（ボタン穴のようなもの）を作り、この繋ぎ穴２０Ｃに次の端切れ布の端を通して繋いでいくようにしている。
この場合も、布織り針のへら状の後端部１３で、共布の一端部に折り目を付けるようにすれば、繋ぎ穴２０Ｃに入れやすくなり、共布の繋ぎ作業が容易にできる。
【実施例】
【００１３】
上記本考案の布編み針の実施例としては、本体部分１０の幅が約１３ｍｍ位、長さは約１３０ｍｍ位に設定した。しかし、この寸法は布きれでどのような大きさのマットや、敷物を作るかによって適宜変更できることはいうまでもない。
また、本体部分１０は竹材を削り出して作り、手に優しく馴染みやすくしたが、その他に大量生産する場合は金型に樹脂等を押出して作る押出成型法で作ることも可能である。
また、本体部分１０の素材として軽量の金属を使用して、高級感を出すようにしても良い。
【産業上の利用可能性】
【００１４】
家庭内において使用しなくなった衣類や布団、敷布等を再利用する際に好適であり、種種の模様がついている布きれを織り込むことによって、バザー等で販売できるような綺麗なマットを手作りで提供することができる。
【図面の簡単な説明】
【００１５】
【図１】本考案の布編み針の上面図（ａ）と側面断面図（ｂ）である。
【図２】本考案の後端部に形成されているへらの使い方を示す説明図である。
【図３】本考案の布編み針で布きれを織り上げるときの一例を示す説明図である。
【符号の説明】
【００１６】
１０  本体部分
１１  先端部
１２  握り部
１３  後端部
１４  通し穴部
２０Ａ、２０Ｂ共布
【図１】
0003133710.tif 000003
【図２】
0003133710.tif 000004
【図３】
0003133710.tif 000005